(57)【特許請求の範囲】
【請求項１】
コアと、このコアに導体を巻回してなるコイル部とを有したアンテナと、
前記アンテナが近接配置される配置面を有した金属体と、
前記アンテナ及び前記金属体を収納し、主として無線通信媒体に向けられる通信主面を有した筐体と、を備え、
前記アンテナの開口面は前記金属体の前記配置面に対して略垂直であり、
前記アンテナの端部が前記金属体の端部に略平行であり、
前記アンテナを、前記筐体の前記通信主面とは反対側に位置する通信背面の前記金属体の端部に配置することを特徴とする通信装置。
【請求項２】
前記筐体に、表示部を備え、
前記通信主面は前記表示部と対向する他の面であり、
前記アンテナを、前記金属体の表示部側の面の端部に配置することを特徴とする請求項１に記載の通信装置。
【請求項３】
前記筐体内に収納され、前記アンテナと接続された基板を備え、
前記金属体は前記基板であることを特徴とする請求項１に記載の通信装置。
【請求項４】
前記アンテナは、前記金属体の前記配置面に略平行な第１の開口面と、前記金属体の端部で前記配置面に略垂直な第２の開口面とを備えるように折り曲げられ、前記コイル部の一部が前記金属体の端部よりも突出していることを特徴とする請求項１に記載の通信装置。
【発明の詳細な説明】
【技術分野】
【０００１】
本発明は、ＲＦ−ＩＤ、すなわちＩＣカードやＩＣタグなどの無線通信媒体との通信を行う通信装置に関するものである。
【背景技術】
【０００２】
近年、携帯電話などの携帯端末にＲＦ−ＩＤ用無線タグを内蔵したものや、非接触型ＩＣカードやＩＣタグを読み取る機能を搭載したものが普及している。そして、（特許文献１）のようにアンテナのコイル軸が基板に対して垂直であるアンテナ装置を用いた通信装置が多く用いられている。
【先行技術文献】
【特許文献】
【０００３】
【特許文献１】特許第４３２５６２１号公報
【発明の概要】
【発明が解決しようとする課題】
【０００４】
しかしながら、（特許文献１）のようにコイル軸が基板に対して垂直である構造では、後に詳細に説明するが、例えば非接触型ＩＣカードを基板に対して平行にし、アンテナ装置の真上に位置すると情報を読み取ることができるが、その他の方向では読み取りが難しい。すなわち、基板である金属体に対してコイル軸が垂直であると、ループ上アンテナのほぼ真上では磁力線が一方向に流れる。その結果、非接触型ＩＣカードには一方向の磁力線が働き、非接触型ＩＣカードに電流が発生して、携帯端末と非接触型ＩＣカードとが通信を行う。しかしながら、ループ上アンテナのほぼ真上方向以外、特にループ上アンテナのほぼ直横方向では、アンテナ側から外側に向かう磁力線と、外側からアンテナ側へ向かう磁力線とが発生する。従って、アンテナのほぼ直横に金属体に対してほぼ垂直に非接触型ＩＣカードを位置させると、非接触型ＩＣカードに対して両方向の磁力線が働いて打ち消しあう。その結果、非接触型ＩＣカードに電流を発生させることができず、携帯端末と非接触型ＩＣカードとが通信を行うことができない。
【０００５】
そこで、本発明は、上記の問題に鑑み、主に通信を行う通信装置の通信主面において、幅広い範囲で良好な通信をすることができる通信装置を提供することを目的とする。
【課題を解決するための手段】
【０００６】
上記課題を解決するために本発明は、コアと、このコアに導体を巻回してなるコイル部とを有したアンテナと、前記アンテナが近接配置される配置面を有した金属体と、前記アンテナ及び前記金属体を収納し、主として無線通信媒体に向けられる通信主面を有した筐体と、を備え、前記アンテナの開口面は前記金属体の前記配置面に対して略垂直であり、前記アンテナの端部が前記金属体の端部に略平行であり、
前記アンテナを、前記筐体の前記通信主面とは反対側に位置する通信背面の前記金属体の端部に配置することを特徴とする通信装置とした。
【発明の効果】
【０００７】
本発明によれば、主に通信を行う通信装置の通信主面において、幅広い範囲で良好な通信をすることができる通信装置を提供することができる。
【図面の簡単な説明】
【０００８】
【図１】本発明の実施例におけるアンテナの概念図
【図２】本発明の実施例におけるアンテナ装置の概念図
【図３】本発明の実施例におけるアンテナ装置を搭載した携帯端末を分解した場合の斜視図
【図４】図２に示すアンテナ装置から発生する磁力線を示す概念図
【図５】従来例におけるアンテナ装置の概念図
【図６】本発明の他の実施例におけるアンテナの概念図
【図７】本発明の他の実施例におけるアンテナ装置の概念図
【図８】本発明の他の実施例におけるアンテナ装置を搭載した携帯端末を分解した場合の斜視図
【図９】図７に示すアンテナ装置から発生する磁力線を示す概念図
【発明を実施するための形態】
【０００９】
請求項１に記載の発明は、コアと、このコアに導体を巻回してなるコイル部とを有したアンテナと、前記アンテナが近接配置される配置面を有した金属体と、前記アンテナ及び前記金属体を収納し、主として無線通信媒体に向けられる通信主面を有した筐体と、を備え、前記アンテナの開口面は前記金属体の前記配置面に対して略垂直であり、前記アンテナの端部が前記金属体の端部に略平行であり、前記アンテナを、前記筐体の前記通信主面とは反対側に位置する通信背面の前記金属体の端部に配置することを特徴とする通信装置であって、主に通信を行う通信装置の通信主面において、幅広い範囲で良好な通信をすることができる通信装置を提供することができる。
【００１０】
請求項２に記載の発明は、前記筐体に、表示部を備え、前記通信主面は前記表示部と対向する他の面であり、前記アンテナを、前記金属体の表示部側の面の端部に配置することを特徴とする請求項１に記載の通信装置であって、特に通信主面において、より幅広い範囲で良好な通信をすることができる通信装置を提供することができる。
【００１１】
請求項３に記載の発明は、前記筐体内に収納され、前記アンテナと接続された基板を備え、前記金属体は前記基板であることを特徴とする請求項１に記載の通信装置であって、通信装置の小型化を達成しつつ、主に通信を行う通信装置の通信主面において、幅広い範囲で良好な通信をすることができる通信装置を提供することができる。
【００１３】
請求項４に記載の発明は、前記アンテナは、前記金属体の前記配置面に略平行な第１の開口面と、前記金属体の端部で前記配置面に略垂直な第２の開口面とを備えるように折り曲げられ、前記コイル部の一部が前記金属体の端部よりも突出していることを特徴とする請求項１に記載の通信装置であって、特に通信主面において磁界を強くすることができ、さらに幅広い範囲で良好な通信をすることができる通信装置を提供することができる。
【実施例】
【００１４】
以下、本発明の実施例について図面を用いて説明する。
【００１５】
図１は、本発明の実施例におけるアンテナの概念図である。図２は、本発明の実施例におけるアンテナ装置の概念図である。
【００１６】
アンテナ装置は、アンテナ入出力用端子４（あるいは５）からもう片方のアンテナ入出力用端子５（あるいは４）までの電流が流れる経路を提供する。またアンテナ装置に含まれるアンテナ１が電流によって生じる磁界、あるいは外界からの磁界によって生じた電流によって信号の送受信を行うものと定義する。また、コイル部２の中心軸をコイル軸Ａと定義する。
【００１７】
本実施例では、アンテナ装置によって、例えばＲＦＩＤ（１３．５６ＭＨｚ）の電波を送受信できるように調整してある。
【００１８】
本実施例では、コイル軸Ａが金属体６の主面に平行な方向のコイル部２と、コア３と、を含んでアンテナ１が構成されている。
【００１９】
また、本実施例では、アンテナ１は、距離Ｄを隔てて配置された金属体６の最寄の端面Ｂとコイル軸Ａが垂直となるように配置されている。距離Ｄは０ｍｍから∞まで考えられるが、後述するように、いずれの場合もアンテナ装置として良好な通信性能を有する。なお、図２においては、距離Ｄは４ｍｍである。
【００２０】
また、コア３には、磁性体を用いることでコイル部２を通過する磁束を増やすことができ、金属体６が近接した場合の通信性能がコア３が磁性体でない場合よりも良くなるので好ましいが、磁性体に限らずセラミックや樹脂などで構成されていてもかまわない。なお、本実施例においては、コア３はフェライトコアであり、コアのサイズは８×２０×０．２ｍｍである。
【００２１】
また、コイル部２の導体の巻回数を図２では約２．５ターンで図示している。ただし、巻回数は限定されるものではなく、巻回数は図２に図示している約２．５ターンより多くても少なくてもかまわない。
【００２２】
なお、巻回数を整数回より約０．５ターン増やす、または減らすことは、コイル部２の両端（アンテナ装置との接続部）がコア３を挟んで両サイドにできるため、アンテナ装置を構成しやすくなる。
【００２３】
また、コイル部２の巻き方については、右巻きでも左巻きでもよく、配置する位置に応じて適宜選択することができる。
【００２４】
また、コイル部２とアンテナ装置の導体との接続方法はピンやバネによる接触やはんだ付け、コネクタによる接続など通常利用される接続方法を用いることができる。あるいは、コイル部２とアンテナ装置は１本の繋がった導体で形成してもかまわない。アンテナ入出力用端子４、５は、一般的に知られているように整合回路及びＩＣの入出力端子に接続されるものとする。
【００２５】
次に、本発明のアンテナ装置を通信装置である携帯端末に搭載する場合について、詳細に説明する。図３は、本発明の実施例におけるアンテナ装置を搭載した携帯端末を分解した場合の斜視図である。
【００２６】
携帯端末２０は表示部である液晶パネル２１、操作用のボタン２２、筐体２５と筐体２６、その中に収められる基板２３、バッテリー２４などで構成されている。
【００２７】
なお、上記説明した金属体６は、図３においては基板２３となるが、金属体として、筐体２６の内面に金属を形成してもよい（筐体２６とコイル部２との間に金属膜を設けてもよい）。このように、基板２３を金属体６として併用することで、通信装置の小型化が可能となる。
【００２８】
アンテナ装置の線路、アンテナ入出力用端子４、５は板金や金属箔テープ、あるいは印刷などによって形成され、アンテナ１は粘着テープによる貼り付けやビスによる固定などで筐体２５の所定の場所に取り付ける。アンテナ入出力用端子４、５に繋がる線路とアンテナ１の接続は、図３ではピン２７を使用して接触接続しているが、コネクタなどを用いてもかまわないし、あるいは、はんだ付けや溶接などで取り付けたワイヤーによって行われてもよい。
【００２９】
液晶パネル２１を搭載した携帯端末２０においては、主に液晶パネル２１が設けられた面とは反対である筐体２６側の面（図３においては下側面）を無線通信媒体に向けて通信を行うことが一般的である。すなわち、液晶パネル２１が設けられた面とは反対の面（図３においては下側面）を本実施例における携帯端末２０の通信主面３０とする。また、通信主面３０とは反対の筐体２５側の面は通信背面３１である。本願発明においては、通信主面３０において、幅広い範囲で良好な通信をすることができる通信機器を得ることを目的とする。
【００３０】
アンテナ１は基板２３の筐体２５側で、基板２３にアンテナ装置の線路、及びアンテナ入出力用端子４、５を備え、筐体２６に設けられたコイル部２にピンにより接続され、アンテナ装置が形成されている。また、基板２３の長手方向の端部に、コイル部の巻き方向と基板２３の端部が平行となるように設置されている。
【００３１】
筐体２６と基板２３の間にできる空間にはＲＦ−ＩＤ用ＩＣや整合回路、他周波用アンテナ、カメラユニット、スピーカー、ＲＦモジュールなどの部品が配置され、これらの部品とアンテナ装置及びコイル部２、コア３が接していても離れていても良好な通信ができる。
【００３２】
また、上述したようにアンテナ装置を形成する際の自由度が高いので、基板２３上に形成するアンテナ装置の線路は、基板２３に配置されているチップなどを避けて配置することができる。
【００３３】
なお、本実施例では筐体２６の平坦な部分に配置しているが、筐体２６の曲面に沿って配置することも可能である。
【００３４】
次に、図４を用いてアンテナ装置が発生させる磁界について説明する。図４は、図２に示すアンテナ装置から発生する磁力線を示す概念図である。また、図５は、比較のため、従来例におけるアンテナ装置の概念図を示す。
【００３５】
図４に示すように、本実施例におけるアンテナ装置は、コイル部２を備えるアンテナ１と、アンテナ１に近接して配置された金属体６とを備え、アンテナ１のコイル部２の開口部は金属体６に対して垂直であり、アンテナ１を金属体６の通信主面３０とは反対側の面の端部に配置することを特徴とする。なお、金属体６の端部とは、アンテナ１の端部が金属体６の最外端部よりも突出する場合及び、アンテナ１の端部が金属体６の最外端部よりも内側に位置する場合の双方を含み、好ましくは、後述するアンテナ１の端部と金属体６の端部との距離ｄが約−８ｍｍ〜＋８ｍｍであることを示す。
【００３６】
対して従来のアンテナ装置は、図５に示すように、アンテナ１０１の開口部が金属板６に対して平行である。アンテナ入出力用端子へ入った信号によりアンテナ１０１に電流が流れる。アンテナ１０１から発生する磁力線が領域Ａにおいてはアンテナから離れる方向に一方向である。その結果、領域Ａに位置する例えば非接触型ＩＣカードには一方向の磁力線が働き、非接触型ＩＣカードに電流が発生して、携帯端末と非接触型ＩＣカードとが通信を行う。しかしながら、領域Ｂにおいてはアンテナから離れる方向とアンテナへ向かう方向という、逆向きの磁力線が同時に非接触型ＩＣカードの中を通過するため、非接触型ＩＣカードに誘起される電圧は相殺されて小さくなってしまう。従って、領域Ｂ、すなわちアンテナのほぼ直横に金属体６に対してほぼ垂直に非接触型ＩＣカードを位置させると、携帯端末と非接触型ＩＣカードとが通信を行うことができない。すなわち、通信機器の通信主面の、アンテナ装置の真上側（領域Ａ）においてのみ、通信が可能となる。
【００３７】
しかしながら、本願は、コイル部２と、コイル部２に近接して配置された金属体６と、コイル部２及び金属体６を備える筐体２５、２６と、を備え、筐体２５、２６は、主に通信を行う通信主面３０を備え、コイル部２の開口部は金属体６に対して略垂直であり、コイル部２の巻き方向が金属体６の最端部に略平行であり、コイル部２を、金属体６の通信主面３０側でない面の端部に配置することを特徴とするため、主に通信を行う通信装置の通信主面において、幅広い範囲で良好な通信をすることができる。なお、コイル部２の開口部は金属体６に対して略垂直であり、コイル部２の開口部と金属体６との角度が８０度〜１００度程度であると好ましい。また、コイル部２の巻き方向は金属体６の最端部に略平行であるが、コイル部２はらせん状に巻かれるため、コイル部のすべてを金属体６の最端部に平行とすることは難しい。従って、少なくともコイル部の一部の巻き方向が金属体６の最端部に略平行であることが望ましい。また、コイル部２の巻き方向は金属体６の最端部に略平行であり、±１０度であることが好ましい。
【００３８】
すなわち、図４において、アンテナ入出力用端子４、５へ入った信号によりアンテナ１に電流が流れる。アンテナ１の開口部は金属体６に対して垂直であるため、領域Ｂではアンテナ１から発生する磁力線がアンテナ１から離れる方向に一方向である。その結果、領域Ｂに位置する例えば非接触型ＩＣカードには一方向の磁力線が働き、非接触型ＩＣカードに電流が発生して、本実施例のアンテナ装置を搭載する携帯端末などと非接触型ＩＣカードとが通信を行うことができる。
【００３９】
また、通信主面３０側である領域Ａ及びＣにおいても、磁力線の向かう方向は一方向である。図４に示すとおり、アンテナ１は金属体６の端部に配置されるため、磁力線は金属体６の端部から放射状に広がっている。特に、アンテナ１から離れる方向の磁力線とアンテナ１へ向かう方向の磁力線の境を結んだ直線である磁界８の軸Ｘが金属体６に対して傾いているため、より多くの磁界８が金属体６を回り込み、通信主面側での通信可能領域を大きくすることができる。
【００４０】
次に、なぜ磁界８の軸Ｘが金属体６に対して傾くかについて説明する。アンテナ１によって発生した磁界によって金属体６面に誘起された渦電流が金属体６面に垂直な方向の磁界を生み出す。そのため、アンテナ１から発生する磁界と、金属体６面に誘起された渦電流から発生する磁界とが合成され、その結果、アンテナ１から発生する磁界８は金属体６主面上空では垂直方向に変化し、磁界８の軸Ｘが金属体６とは離れる側に傾く。
【００４１】
本実施例の構成では、磁界８の軸Ｘの角度は、金属体６に対して４０度〜８５度程度となり傾いている。すなわち、アンテナ１が金属体６の端部に配置されなければ、金属体６面上の渦電流による金属体６面に垂直な方向の磁界は小さくなり、磁界８の軸Ｘは金属体６に対してほぼ垂直のままである。
【００４２】
また、アンテナ１と金属体６との距離Ｄは０ｍｍ〜８ｍｍであるのが好ましい。特に、０ｍｍ〜４ｍｍである場合は磁界８の軸Ｘの角度を５５度〜８０度と大きく傾けることができる。また、８ｍｍ〜１２ｍｍであっても、８５度程度に傾けることができる。これは、アンテナ１と金属体６とが離れすぎると、金属体６の影響が小さくなり金属体６が磁界８の軸Ｘを傾ける力が薄れてしまうからである。また、通信距離は金属体６の大きさにも影響され、金属体６が大きく、アンテナを搭載する辺が長いほど通信距離は延びる。
【００４３】
また、図４においては、アンテナ１の端部と金属体６の端部が揃うように配置され、アンテナ１の端部と金属体６の端部との距離ｄは０ｍｍである。しかしながら、アンテナ１の端部が金属体６の最外端部よりも突出してもよい。アンテナ１と金属体６との距離Ｄは４ｍｍであり、アンテナ１の端部が金属体６の最外端部よりも突出したとき距離ｄはプラスである。アンテナ１の端部が金属体６の端部よりも突出することで、金属体６の真上（領域Ａ側）の磁界８が強くなる。しかしながら、アンテナ１の端部が金属体６の端部よりも突出しすぎると金属体６が磁界８の軸Ｘを傾ける力が薄れてしまう。従って、ｄ＝２ｍｍのとき最も角度が傾き、７０度となっている。ただし、８ｍｍ突出させても角度は８５度と傾かせることができる。
【００４４】
また、アンテナ１の端部が金属体６の最外端部よりも内側に位置してもよい。このとき、図８では距離ｄはマイナスで示す。アンテナ１の端部の位置が金属体６の最外端部よりも内側すぎると、金属体６面に誘起される渦電流による垂直方向の磁界が小さくなり、金属体がない場合のアンテナ１の磁界分布に近くなってしまう。従って、ｄ＝０ｍｍのとき角度は７８度であり、ｄ＝−８ｍｍのとき角度は８５度である。
【００４５】
以上のことから、アンテナ１を、金属体６の端部に位置することにより、金属体６に流れる電流を最大限活用することができる。また、角度が８５度程度であれば本発明の効果は得られ、好ましくは８０度以下であるとよい。
【００４６】
次に、図１からアンテナの形状を一部変更した形態について説明する。図６は、本発明の他の実施例におけるアンテナの概念図であり、（ａ）はアンテナにカバーを装着した場合の概念図、（ｂ）は図６（ａ）からカバーを外した場合の概念図、（ｃ）は図６（ａ）からカバーを外したときにコアが割れている場合の概念図、（ｄ）は図６（ｂ）からコアを抜いた場合の概念図である。図７は、本発明の他の実施例におけるアンテナ装置の概念図であり、図８は、本発明の他の実施例におけるアンテナ装置を搭載した携帯端末を分解した場合の斜視図、図９は、図７に示すアンテナ装置から発生する磁力線を示す概念図である。
【００４７】
図６におけるアンテナは、図１のものと折り曲げがある以外にサイズも一部異なるが、基本的な構成は同一である。本実施例においては、フェライトコア３のサイズは８×２０×０．２ｍｍであり、８ｍｍの辺において半分の４ｍｍで約９０度に折り曲げているが、折り曲げ位置は半分に限定されることはなく、長くても短くてもかまわない。好ましくは折り曲げたコアの先端部分が金属体の面よりも飛び出ている方が良く、アンテナ搭載面の反対面側への磁界が強くできる。その結果、コイル部２は、金属体６に略平行な面４０と、金属体６の最端部４２の辺と対向する面４１とを備える。本実施例においては９０度に折り曲げられているが、９０度に限定されるわけではない。すなわち、アンテナ１を収容する筐体の形状に合わせて折り曲げることができる。また、折り曲げは、図６（ｂ）のように割れないようにコア３にカーブをつけてもよいし、図６（ｃ）のようにコア３の長手方向に平行な割れ目を入れてもよい。その場合、コイル２がコア３の折れ目にオーバーラップしないよう、図６（ｃ）、（ｄ）に示すようにコア３の折れ目外側はコア３の長手方向に平行にコイル２を巻き、コア３の内側はコア３の長手方向に対して傾いて巻かれる。
【００４８】
図６に示すアンテナは、図７に示すように金属体６に設置される。本実施例では、アンテナ１の折り曲げた部分が金属板６の面から約１ｍｍだけ突出している。金属体６とアンテナ１の金属体６に平行な部分との間隔は約２ｍｍである。また、金属体６は、図８においては基板２３となるが、金属体６として、筐体２６の内面に金属を形成してもよい（筐体２６とコイル部２との間に金属膜を設けてもよい）。このように、基板２３を金属体６として併用することで、通信装置の小型化が可能となる。その他は、図３に同様である。
【００４９】
次に、図９を用いて図７のアンテナ装置が発生させる磁界について説明する。
【００５０】
アンテナ１は図９に示すように金属体６の通信主面３０とは反対側の面の端部に配置される。アンテナ１はコイル軸方向の長さの約半分の位置で折り曲げられる。従って、コア３は金属体６と平行な面と、略垂直な面とを備え、コイル部２のコイル軸も同様に金属体６と平行な部分と、略垂直な部分とを備える。アンテナ１の略垂直な面は金属体６の面から突出している。このような構成のため、磁界８の軸は大幅に金属体６に対して傾く。また、磁界８は通信主面３０側に金属体６の端部から放射状に広がり、通信主面３０側において通信可能領域を非常に大きく確保することができる。
【００５１】
次に、図４、図９に示す本実施例のアンテナ装置と図５に示す従来のアンテナ装置との領域Ａ、Ｂ、Ｃに向かう方向おける通信距離を比較した結果を（表１）及び（表２）を使って説明する。領域Ａは通信主面におけるアンテナの直上部分であり、領域Ｂはアンテナ１の真横であり金属体６の延長線上部分である。領域Ｃは領域Ａと領域Ｂの中間であり、金属体６に対して傾いた方向である。
【００５２】
本実験において、図４、図９に示す本実施例のアンテナ装置は、コア３はフェライトコアであり、アンテナのサイズが８×２６×０．４ｍｍである。コイル部２は６．５ターンであり、図４は金属体６とアンテナ１との距離Ｄは４ｍｍである。図９は金属体６とアンテナ１との距離Ｄは２ｍｍである。また、図５に示す従来のアンテナ装置は、コア３はフェライトコアであり、アンテナのサイズが１５×２５×０．４ｍｍである。コイル部２は２ターンであり、金属体６とアンテナ１との距離Ｄは４ｍｍである。
【００５３】
（表１）は図４、９及び図５に示すアンテナ装置の通信相手が非接触型ＩＣカードの場合であり、（表２）は通信相手がリーダライター装置の場合である。
【００５４】
【表１】
0004831252.tif 000002
【００５５】
【表２】
0004831252.tif 000003
【００５６】
（表１）、（表２）から明らかなとおり、図４、図９に示す本実施例のアンテナ装置は図５に示す従来のアンテナ装置に比較して、通信主面３０において幅広い範囲でバランスよく良好な通信をすることができる。また、領域Ａ〜Ｃのいずれにおいても本実施例においては、通信をすることができない領域であるヌルはできなかったが、従来例ではヌルができた。
【００５７】
なお、図２はアンテナ装置と金属体６とはある程度の隙間を持って配置されているが、アンテナ１が金属体６上に置かれるような近接配置をしても良い。この場合は、金属体６面に誘起された渦電流が強く、渦電流による金属体６の主面の垂直方向の磁界は強くなり、この垂直方向の磁界とアンテナ１の磁界が合成されて、結果として磁界８の軸Ｘが金属体６とはより離れる側に傾く。
【００５８】
その結果、例えば非接触型ＩＣカードを領域Ａ及び領域Ｂ及び領域Ｃのどちらに位置させても、良好な通信を行うことができる。
【００５９】
なお、金属体６は例えば携帯端末内の基板となるが、他の金属体、例えばバッテリーや液晶表示パネルなどであってもかまわない。
【００６０】
また、アンテナ装置を構成する導体は、被覆銅線などで構成されてもよいが、金属体６上に形成された電極パターンなどでもかまわない。コイル部２と磁性体コア３も金属体６上に実装されている構成としてもよい。図示していないが、アンテナ１と基板２３のあいだの空いているスペースには、他の部品、例えばカメラモジュールやスピーカー、ＲＦモジュール、他周波用のアンテナなどを実装することができる。
【００６１】
また、コイル部２の開口部に平行なアンテナ１の端面と金属体６の端部とが一直線上に揃っていることで、製造しやすいアンテナ装置とすることができる。
【００６２】
また、コイル部２は、金属体６の端部に位置するように配置されており、これにより、金属体６に流れる電流を最大限活用することができる。また、コイル部２のコイルの巻き方向が金属体６の端部に平行であることで、金属体６の端部に多く流れる電流をコイル部２が効率よく拾うことができ、アンテナ装置の特性を良好にすることができる。
【産業上の利用可能性】
【００６３】
本発明のアンテナ装置によれば、通信できる方向が一方向に限られないため、携帯電話などの様々な通信装置のアンテナとして有用である。
【符号の説明】
【００６４】
１    アンテナ
２    コイル部
３    コア
４、５    アンテナ入出力用端子
６    金属体
８    磁界
２０    携帯端末
２１    液晶パネル
２２    ボタン
２３    基板
２４    バッテリー
２５、２６    筐体
【要約】
【課題】非接触型ＩＣカードなどの通信対象と通信を行う際に、主に通信を行う通信装置の通信主面において、幅広い範囲で良好な通信をすることができる通信装置を提供することを目的とする。
【解決手段】コイル部２と、コイル部２に近接して配置された金属体と、コイル部２及び金属体を備える筐体２５、２６と、を備え、コイル部２の開口部は金属体に対して略垂直であり、コイル部２の巻き方向が金属体の最端部に略平行であり、コイル部２を、金属体の、筐体２５、２６における主に通信を行う通信主面３０側でない面の端部に配置することを特徴とする。
【選択図】図３【図１】
0004831252.tif 000004
【図２】
0004831252.tif 000005
【図３】
0004831252.tif 000006
【図４】
0004831252.tif 000007
【図５】
0004831252.tif 000008
【図６】
0004831252.tif 000009
【図７】
0004831252.tif 000010
【図８】
0004831252.tif 000011
【図９】
0004831252.tif 000012